(57)【特許請求の範囲】
【請求項１】
ゴミを入れるための開口部を有するゴミ収集袋において、上記開口部の周縁に沿って第１の切取線を形成してその開口部側を第１の紐状部とし、上記第１の切取線から離れた位置に、中断部を有する第２の切取線をほぼ平行に形成して第１と第２の切取線の間を第２の紐状部にするとともに、該第２の紐状部に分割線を設けて分割可能とし、第２の切取線から離れた位置に複数の通し孔を上記第１及び第２の切取線とほぼ平行に形成し、前記第２の紐状部を前記分割線で２本に分割し、一方は右から左に、他方は左から右に前記複数の通し孔に縫うように通して巾着状に絞り結ぶために用い、前記第１の紐状部は前記第２の紐状部を結んだ後、前記通し孔の下に巻き付けて結ぶために用いるようにしたことを特徴とするゴミ収集袋。
【請求項２】
上記第１の切取線に中断部が設けてあり、かつ、上記第１の紐状部に分割線があることを特徴とする請求項１記載のゴミ収集袋。
【発明の詳細な説明】
【０００１】
【産業上の利用分野】
本発明は、ゴミ収集袋に関し、特に袋いっぱいのゴミを収容した場合でも、開口部を簡単に閉じることができ、ゴミの臭気が漏れ出さないようにするものに関する。
【０００２】
【従来の技術】
従来からのゴミ袋は、開口部を閉じるために開口部の両端を引っ張り上げて結び合わせたり、別途用意した紐や粘着テープなどを使用していた。だが開口部の両端を引っ張り上げて結ぶ方法では、ゴミ収集袋にある程度の余裕がなければならないので、ゴミ収集袋の容量いっぱいにまでゴミを入れることができない。また、紐や粘着テープなどで閉じるとしても、紐や粘着テープが常に用意されているとは限らないので、探す手間などが面倒である。
【０００３】
そこで、特開平８−２６４０２号や、実開昭５２−９８６１７号のようなゴミ収集袋が考えられた。
特開平８−２６４０２号のゴミ収集袋は、開口部の周縁に沿って長い切取線と、短い切取線を設ける。該切取線を切り離すと、長い紐状部と短い紐状部ができる。長い紐状部を開口部に巻き付け、短い紐状部の輪内にくぐらせ、その後両方の紐状部を結んで開口部を閉じる構成となっている。
【０００４】
実開昭５２−９８６１７号のゴミ収集袋は、ゴミ収集袋の上端にミシン目を施し、その下に複数の挿通孔を所要間隔おきに開設したもので、ミシン目から切り離した紐状部を全ての挿通孔に蛇行するように通し、紐状部を引っ張って開口部を巾着状に絞り、あまった紐状部で巾着部を数回巻いて端部を絡ませることによって、開口部を閉じることができる構成となっている。
【０００５】
【発明が解決しようとする課題】
しかし、特開平８−２６４０２号のゴミ収集袋を、結び目で持とうとすると、紐状部が滑ってゴミ収集袋から抜けてしまい、中のゴミがあふれ出してしまうおそれがある。
【０００６】
また、実開昭５２−９８６１７号のゴミ収集袋は、挿通孔に紐状部を通すので結び目が滑ることはないが、紐状部の端部をからませるだけなので、ゆるみやすく、また、挿通孔が開いたままで閉じることができないため、ゴミによっては臭気が外に漏れ出してしまうことがある。
【０００７】
そこで本発明の目的は、袋の最大内容積に近いゴミを収容しても簡便に開口部を閉じることができ、しかもゴミの臭気が外に漏れ出してしまうのを防止できるゴミ収集袋を提供することにある。
【０００８】
【課題を解決するための手段】
上記目的を達成するために本発明は、ゴミを入れるための開口部を有するゴミ収集袋において、上記開口部の周縁に沿って第１の切取線を形成してその開口部側を第１の紐状部とし、上記第１の切取線から離れた位置に、中断部を有する第２の切取線をほぼ平行に形成して第１と第２の切取線の間を第２の紐状部にするとともに、該第２の紐状部に分割線を設けて分割可能とし、第２の切取線から離れた位置に複数の通し孔を上記第１及び第２の切取線とほぼ平行に形成し、前記第２の紐状部を前記分割線で２本に分割し、一方は右から左に、他方は左から右に前記複数の通し孔に縫うように通して巾着状に絞り結ぶために用い、前記第１の紐状部は前記第２の紐状部を結んだ後、前記通し孔の下に巻き付けて結ぶために用いるようにした構成としている。
【０００９】
また、上記第１の切取線に中断部が設けてあり、かつ、上記第１の紐状部に分割線がある構成とすることができる。
【００１０】
【発明の実施の形態】
本発明の実施例を図面に基づいて説明する。
図１は、本発明のゴミ収集袋１の全体構成を示す図である。ゴミ収集袋１は筒状のシートから成形されている。材質としては炭酸カルシウムを含んだポリエチレンや低密度ポリエチレン等を利用している。ゴミ収集袋１の下部には、ヒートシールされた底部２が成形されている。上部は開放されたままの開口部３となっている。
【００１１】
開口部３の端面に対して平行に第１の切取線４と第２の切取線５が設けられている。これらはミシン目のような断続的な切込みで筒状シートの表側と裏側を貫通している。第１の切取線４は開口部３から２〜３センチほど下に設けられており、第２の切取線５は、第１の切取線４からさらに２〜３センチほど下に設けられている。ゴミ収集袋１の両端から３〜５センチ以内のところは中断部６になっていて、切取線は設けられていない。第１の切取線４の上の部分と第２の切取線５の間には、中央に分割線７が設けられている。ただし、第１の切取線４の上部には中断部６を設けずにゴミ収集袋１の全周に設けてもよい。その場合、分割線７を第１の切取線４の上部には設ける必要がない。
【００１２】
第２の切取線５から２センチほど下には、通し孔８が開いている。通し孔８は３センチほどの切れこみが、開口部３と平行に一定の間隔で複数設けられている。この通し孔８は、一定間隔の刃がついた円板状のカッターを転がして筒状シートの表側と裏側を貫通することによって形成することができる。
【００１３】
第１と第２の切取線４，５及び通し孔８の、切込みの長さや切込みの間隔、切込みを入れる位置などは、使用するゴミ収集袋１の素材や大きさ等に合わせて設定するものであり、特に上記の値に限定されるものではない。
【００１４】
図２は第１と第２の切取線４，５と分割線７とで切り離し、紐状部９，１０，１１，１２とした状態を示す図であり、図３は切り離した直後の紐状部９ａ，９ｂ、紐状部１１ａ，１１ｂの拡大図である。
【００１５】
第１の切取線４と分割線７とで切り離すと、ゴミ収集袋１の左側の表側と裏側に、図３に示すような、紐状部９ａ，９ｂが形成される。同様に第２の切取線５と分割線７で切り離すと紐状部１１ａ，１１ｂが構成される。図示しないが、ゴミ収集袋１の右側にも同様にして４本の紐状部ができ、紐状部が合計で８本になってしまう。このままでは扱いにくく、また弱いので、紐状部９ａと紐状部９ｂ、紐状部１１ａと紐状部１１ｂのように表側と裏側の紐状部を結んで、図２のように、結び目１３ａ，１３ｂ，１３ｃ，１３ｄを作る。このようにしてできた紐状部９，１０，１１，１２は、中断部６によってゴミ収集袋１と繋がっている。
【００１６】
中断部６がなく、第１の切取線４がゴミ収集袋１の全周にわたって設けられている場合は、第１の紐状部９，１０が一本につながったままゴミ収集袋１から完全に切り離される。
【００１７】
第２の紐状部１１，１２は図７に示すように、中央で折り返して根元の部分で結ぶようにしてもよい。こうすることで、第２の紐状部１１，１２の強度が増し、開口部３をより緊くしばることができる。
【００１８】
図４は第２の紐状部１１，１２を通し孔８に通した状態を示す図である。第２の紐状部１１，１２をゴミ収集袋１の裏側から表側へ交互に縫うように蛇行させて通し孔８に通していき、開口部３を綴じる。このとき図４では第２の紐状部１１，１２は、通し孔８のうち半分にしか通していないが、第２の紐状部１１は左から右へ、第２の紐状部１２は右から左へ通し孔８全てに通してもよい。
【００１９】
その後、第２の紐状部１１を右側に第２の紐状部１２を左側に引っ張り、開口部３を巾着状に絞り、図５に示すように、紐状部１１，１２を結んで開口部３を閉じる。
【００２０】
図６は第１の紐状部９，１０を通し孔８より下で結んだ状態を示した図である。紐状部９を、通し孔８の下にきつく巻き付ける。同様に紐状部１０も通し孔８の下にきつく巻き付ける。この時、紐状部９を右回りでゴミ収集袋１に巻き付けたのならば、紐状部１０は左回りに巻き付ける。そして、紐状部９と紐状部１０を結ぶ。
【００２１】
第１の紐状部９，１０が一本につながったままゴミ収集袋１から切り離されている場合には、図示しない紐状部を通し孔８の下にきつく巻き付け、両端を結べばよい。
【００２２】
第１の紐状部９，１０を通し孔８の下にきつく巻き付けることで、ゴミ収集袋１の開口部３を完全に閉じることができ、ゴミ収集袋１の内部の臭気が漏れ出さなくなる。
【００２３】
【発明の効果】
以上のように本発明によれば、ゴミを入れるための開口部を有するゴミ収集袋において、上記開口部の周縁にそって第１の切取線を形成してその開口部側を第１の紐状部とし、上記第１の切取線から離れた位置に、中断部を有する第２の切取線をほぼ平行に形成して第１と第２の切取線の間を第２の紐状部にするとともに、該第２の紐状部に分割線を設けて分割可能とし、第２の切取線から離れた位置に複数の通し孔を上記第１及び第２の切取線とほぼ平行に形成した構成としたことで、ゴミ収集袋内の臭気が外部に漏れ出すのを防止することが出来る。
【００２４】
また、上記第１の切取線に中断部が設けてあり、かつ、上記第１の紐状部に分割線がある構成とすることで、開口部を簡便に閉じることができる。
【図面の簡単な説明】
【図１】本発明の実施例であるゴミ収集袋の全体構成を示す図である。
【図２】実施例において切取線と分割線から切り離し紐状部とした状態を示す図である。
【図３】実施例において切り離した直後の紐状部の拡大図である。
【図４】実施例において紐状部を通し穴に通した状態を示す図である。
【図５】実施例において紐状部を結び開口部を巾着状に閉じた状態を表す図である。
【図６】実施例において紐状部を通し孔より下で結んだ状態を示す図である。
【図７】実施例において紐状部を中央で折り返し、根元で結んだ状態を示す図である。
【符号の説明】
１              ゴミ収集袋
３              開口部
４              第１の切取線
５              第２の切取線
６              中断部
７              分割線
８              通し孔
９，１０        第１の紐状部
１１，１２      第２の紐状部
【図１】
0004349760.tif 000002
【図２】
0004349760.tif 000003
【図３】
0004349760.tif 000004
【図４】
0004349760.tif 000005
【図５】
0004349760.tif 000006
【図６】
0004349760.tif 000007
【図７】
0004349760.tif 000008